(57)【要約】【課題】 ワイパーの噴水定位器を提供する。【解決手段】  主にスリーブ、レーザーインジケーター、調整レバーにより組成し、該スリーブは中空状の筒体で、その後端は該調整レバーに対応し螺接し、前端には光透過孔を穿設し、該筒体内には該レーザーインジケーターを設置し、レーザーインジケーターの前端には光投射台を設置し、レーザー光線は該スリーブの光透過孔を通って発射される。該調整レバーの後端面中心位置は軸方向に押し上げレバーを突出し、該押上げレバーの後端面中心位置には軸方向に軸レバーを突出し、しかも該軸レバーは反対端のレーザー光線と同一中心の軸線に位置する。これによりスリーブ及び調整レバーを揺動調整により該ウォッシャーの噴水角度を調整することができる。【選択図】  図２
0003126318.tif 000002
【実用新案登録請求の範囲】
【請求項１】
主にスリーブ、レーザーインジケーター、調整レバーにより組成し、
該スリーブは中空状の筒体で、その後端は該調整レバーに対応し螺接し、前端には光透過孔を穿設し、該筒体内には該レーザーインジケーターを設置し、
該レーザーインジケーターの前端には光投射台を設置し、レーザー光線は該スリーブの光透過孔を通って発射され、
前記調整レバーの後端面中心位置は軸方向に押し上げレバーを突出し、該押上げレバーの後端面中心位置には軸方向に軸レバーを突出するとともに、該軸レバーは反対端のレーザー光線と同一中心の軸線に位置することを特徴とするワイパーの噴水定位器。
【請求項２】
前記スリーブ側縁には接触制御ボタンを設置し、しかも該レーザーインジケーター片側のプッシュスイッチは該接触制御ボタン位置に対応し設置され、また、該レーザーインジケーター端の電池はレーザー起動の電力を提供することを特徴とする請求項１記載のワイパーの噴水定位器。
【請求項３】
前記押し上げレバーは自動車のウォッシャーの噴水ルート位置に対応し挿入設置され、レーザー光線は該ウォッシャーの噴水ルートと同一軸線上に位置するため、スリーブ及び調整レバーの揺動調整により該ウォッシャーの噴水角度を調整することを特徴とする請求項１記載のワイパーの噴水定位器。
【考案の詳細な説明】
【技術分野】
【０００１】
本考案は一種のワイパーへの噴水方向を定める噴水定位器に関する。特に一種の自動車フロントガラス前のウォッシャーの角度調整に用い、これにより該ウォッシャーの角度位置を迅速に調整可能であり、該ウォッシャーが噴出する水はフロントガラスの理想の位置に到達するワイパーの噴水定位器に係る。
【背景技術】
【０００２】
公知の自動車フロントガラスのワイパーウォッシャーの調整装置は、伸縮細管を利用し自動車ウォッシャーの噴水孔まで延伸し、しかも該噴水孔は回転可能なウォッシャー球状バルブ体前端側まで貫通し、これにより該ウォッシャーの噴水角度を調整し、その噴出水がフロントガラスの理想の位置に到達するよう調整するものである。
【特許文献１】特公昭６４−２５４０号公報
【考案の開示】
【考案が解決しようとする課題】
【０００３】
公知構造には以下の欠点があった。
すなわち、公知のワイパーの噴水定位装置は、主に複数の中空の金属管を利用し、同軸方式で一体に嵌接し、該公知の伸縮管の太い方の端はワイパーウォッシャー噴水孔に対応する頂点細棒を対応し突出し、使用時には該頂点細棒を該噴水孔に進入させ、該ウォッシャーの噴水角度を調整する。さらに、該伸縮管の細い方の端をフロントガラス前まで引っ張る必要もあるため、該頂点細棒を揺動し該ウォッシャーの噴水孔角度を調整する時には、該伸縮管の細い方の端も、調整しようとする噴水角度に対応し揺動させなければならない。しかし、公知の装置は該伸縮管の重量が重過ぎ調整操作が不便で、さらに、使用時には該伸縮管を引っ張るため、操作調整の困難を引き起こしており、実用に即さない。
本考案は、上記従来構造の問題点になされたもので、コンパクトで、操作が簡単で噴水方向を的確に調整し、噴水の定位を達成するワイパーの噴水定位器を提供するものである。
【課題を解決するための手段】
【０００４】
上記課題を解決するため、本考案は下記のワイパーの噴水定位器を提供する。
それは主にワイパーの噴水定位器を提供し、該装置はワイパーのウォッシャー角度を即時調整可能なレーザーガイド装置で、しかもウォッシャーの噴水テストを不要としながら、最良の噴水角度に調整可能で、すなわち、それはスリーブ、レーザーインジケーター、調整レバーにより組成されている。
前記スリーブは中空状の筒体で、その後端は該調整レバーに対応し螺接し、前端には光透過孔を穿設し、該筒体内には該レーザーインジケーターを設置し、該レーザーインジケーターの前端には光投射台を設置し、レーザー光線は該スリーブの光透過孔を通って発射され、前記調整レバーの後端面中心位置は軸方向に押し上げレバーを突出し、該押上げレバーの後端面中心位置には軸方向に軸レバーを突出し、しかも該軸レバーは反対端のレーザー光線と同一中心の軸線に位置し、これにより揺動調整により該ウォッシャーの噴水角度を調整することができ、通電によりレーザー光線を自動車のフロントガラス上に投射し、自動車ウォッシャーの噴水ルートとレーザー光線を同一軸線上とし、こうして該ウォッシャーが噴出する水はフロントガラスの理想の位置に到達することを特徴とするワイパーの噴水定位器である。
【０００５】
すなわち、請求項１の考案は、主にスリーブ、レーザーインジケーター、調整レバーにより組成し、該スリーブは中空状の筒体で、その後端は該調整レバーに対応し螺接し、前端には光透過孔を穿設し、該筒体内には該レーザーインジケーターを設置し、
該レーザーインジケーターの前端には光投射台を設置し、レーザー光線は該スリーブの光透過孔を通って発射され、前記調整レバーの後端面中心位置は軸方向に押し上げレバーを突出し、該押上げレバーの後端面中心位置には軸方向に軸レバーを突出するとともに、該軸レバーは反対端のレーザー光線と同一中心の軸線に位置することを特徴とするワイパーの噴水定位器である。
請求項２の考案は、前記スリーブ側縁には接触制御ボタンを設置し、しかも該レーザーインジケーター片側のプッシュスイッチは該接触制御ボタン位置に対応し設置され、また、該レーザーインジケーター端の電池はレーザー起動の電力を提供することを特徴とする請求項１記載のワイパーの噴水定位器である。
請求項３の考案は、前記押し上げレバーは自動車のウォッシャーの噴水ルート位置に対応し挿入設置され、レーザー光線は該ウォッシャーの噴水ルートと同一軸線上に位置するため、スリーブ及び調整レバーの揺動調整により該ウォッシャーの噴水角度を調整することを特徴とする請求項１記載のワイパーの噴水定位器である。
【考案の効果】
【０００６】
本考案のワイパー噴水定位器によれば、調整装置がコンパクトで、操作が便利で、かつ公知構造のような時間と労力を無駄にする調整を不要とすることができる。さらに本考案の調整レバーにより、ウォッシャーの噴水ルートとレーザー光線は同一軸線上となるため、レーザー光線を利用し、調整、定位を達成することができる。
【考案を実施するための最良の形態】
【０００７】
本考案の好適なワイパーの噴水定位器の実施例を図面を参照して説明する。
図１〜３に示すように、本考案ワイパーの噴水定位器はスリーブ１０、レーザーインジケーター２０、調整レバー３０により組成する。
該スリーブ１０は中空状の筒体で、その後端内側壁には内ネジヤマを設置し、該調整レバー３０に対応し螺接する。該スリーブ１０の筒体前端には光透過孔１１を穿設し、しかも該筒体側縁には接触制御ボタン１３を設置する。該筒体内には該レーザーインジケーター２０を設置し、該調整レバー３０の外側には保護カバー４０を被せる。
該レーザーインジケーター２０はレーザーモジュールの接触回路により起動し、レーザー光線を発し、該レーザーインジケーター２０の前端には光投射台２１を設置する。しかも該光投射台２１が発するレーザー光線は該スリーブ１０の光透過孔１１を通って発射される。該レーザーインジケーター２０片側のプッシュスイッチ２３は該接触制御ボタン１３位置に対応し設置される。また該レーザーインジケーター２０端の電池２５はレーザー起動の電力を提供する。
【０００８】
前記調整レバー３０のレバー体側面の外ネジヤマは該スリーブ１０の後端側に螺接し、しかも該調整レバー３０の後端面中心位置は軸方向に押し上げレバー３１を突出する。該押し上げレバー３１は自動車のウォッシャー５０の噴水孔位置に対応し挿入設置され、スリーブ１０及び調整レバー３０(押し上げレバー３１)の揺動調整により該ウォッシャー５０の噴水角度を調整する。
さらに、該押し上げレバー３１の後端面中心位置には軸方向に軸レバー３３を突出し、しかも、該軸レバー３３は反対端のレーザー光線と同一中心の軸線上に設けてある。これにより、該レーザー光線は該ウォッシャー５０の水が噴出するコースと同一軸線位置となり、該ウォッシャー５０は該自動車延伸前蓋板上において回転設置される。
【０００９】
さらに、図４、５に示すように、本考案の実際の使用時には、使用者は該調整レバー３０の押し上げレバー３１を利用し、該自動車ウォッシャー５０の噴水コース(ノズル)孔に入れ固定し、しかも該スリーブ１０と該調整レバー３０の位置を揺動、調整することにより、同時及び同軸で該ウォッシャー５０の噴水(ルート)角度を回転、調整することができる。
この時、使用者は該接触制御ボタン１３を押し、レーザー光線を起動し、自動車のフロントガラス上にレーザー光線の光点を投射させる。該調整レバー３０により、該ウォッシャーの噴水ルートは該レーザー光線と同軸線上にあるため、該レーザー光線が投射される角度を調整することにより、同時に自動車フロントガラス前の該ウォッシャー５０の噴水角度を調整することができる。こうして、本考案のワイパーの噴水定位器は迅速に該ウォッシャー５０の噴水角度を調整し、これにより該ウォッシャー５０が噴出する水はフロントガラスの理想の位置に到達することができる。
【図面の簡単な説明】
【００１０】
【図１】本考案の立体構造外観斜視図である。
【図２】本考案の立体構造分解斜視図である。
【図３】本考案の断面図である。
【図４】本考案の調整動作指示図である。
【図５】本考案の使用状態の斜視図である。
【符号の説明】
【００１１】
１０  スリーブ
１１  光透過孔
１３  接触制御ボタン
２０  レーザーインジケーター
２１  光投射台
２３  プッシュスイッチ
２５  電池
３０  調整レバー
３１  押し上げレバー
３３  軸レバー
４０  保護カバー
５０  ウォッシャー
【図１】
0003126318.tif 000003
【図２】
0003126318.tif 000004
【図３】
0003126318.tif 000005
【図４】
0003126318.tif 000006
【図５】
0003126318.tif 000007